(57)【特許請求の範囲】
【請求項１】
内燃機関(２)の排気通路(25)に一端が接続された二次エア供給管(80)と、同二次エア供給管(80)の他端と接続し同二次エア供給管(80)への二次エアの供給を制御する二次エア制御バルブ(90)と、同二次エア制御バルブ(90)への外気導入通路(82)とを備えた鞍乗り型車両(１)の排気浄化装置(８)において、
前記排気浄化装置(８)は、前記鞍乗り型車両(１)における乗員用シート(10)下方で、後輪(７)上方を覆う上部リヤフェンダ部材(70)の上面に分散して配置され、
前記外気導入通路(82)の中途部に、二次エア用のエア濾過器(83)と共鳴通路(84)とが設けられ、
前記外気導入通路(82)および共鳴通路(84)はともに管状部材からなり、前記外気導入通路(82)は平面視で左右の後部メインフレーム(40Ｂ、40Ｂ)間にＵ字状に配置され、前記共鳴通路(84)はＵ字状の前記外気導入通路(82)の一辺に沿って配置されたことを特徴とする鞍乗り型車両の排気浄化装置。
【請求項２】
前記共鳴通路(84)は、前記エア濾過器(83)より上流側の前記外気導入通路(82)に設けられ、
前記エア濾過器(83)は前記上部リヤフェンダ部材(70)に形成された保持用凹部(71)に保持されて取り付けられ、前記外気導入通路(82)と前記共鳴通路（84）は前記上部リヤフェンダ部材(70)に形成された保持用溝部(72)に配置され、前記二次エア制御バルブ(90)は、前記上部リヤフェンダ部材(70)に取り付けられたことを特徴とする請求項１記載の鞍乗り型車両の排気浄化装置。
【請求項３】
前記二次エア制御バルブ(90)の入口開口部(91)の軸線(Ｘ)は、車両前後方向の後向きに配向され、
前記エア濾過器(83)は、前記二次エア制御バルブ(90)の車両後方側から前記外気導入通路(82)で接続されて配置されたことを特徴とする請求項２記載の鞍乗り型車両の排気浄化装置。
【請求項４】
前記二次エア制御バルブ(90)は、前記上部リヤフェンダ部材(70)の前部の一側に設けられ、前記エア濾過器(83)は、前記上部リヤフェンダ部材(70)の後部に設けられるとともに、前記エア濾過器(83)より上流側の前記外気導入通路(82)は、前記上部リヤフェンダ部材(70)の前部の他側に延在させて設けられたことを特徴とする請求項３記載の鞍乗り型車両の排気浄化装置。
【発明の詳細な説明】
【技術分野】
【０００１】
本発明は、自動二輪車やバギー車のような鞍乗り型車両における排気浄化装置に関し、特に内燃機関の排気係に二次エアを供給して、排気ガス中の未燃焼成分を浄化する排気浄化装置に関する。
【背景技術】
【０００２】
排ガス規制に対応して、自動二輪車やバギー車のような鞍乗り型車両においても、排気ガス中の未燃焼成分を再燃焼させるため、内燃機関の排気系に二次エアを供給するものが、例えば下記特許文献１に示されている。
【０００３】
特許文献１に示されるものは、パワーユニットを備えた自動二輪車において、内燃機関の排気系（排気ポート内）に一端側を接続した二次エア供給管の他端側が二次エア制御バルブに接続し、二次エア制御バルブの上流側には二次エア濾過器が接続している。
そして、二次エア濾過器より上流側のエア吸入管は、自動二輪車のメインフレームの上側に沿って車両後端まで延設され、後端でその吸入口が開口している。
【先行技術文献】
【特許文献】
【０００４】
【特許文献１】特開２００２−２２７６４１号公報（図１〜図４）
【発明の概要】
【発明が解決しようとする課題】
【０００５】
二次エア制御バルブと二次エア濾過器を備え、二次エア濾過器より上流側のエア吸入管から外気を吸入し、二次エアとして排気系に供給する排気浄化装置において、上記特許文献１に示されるものは、乗員シートの下方でメインフレーム上部において車両前後方向に並ぶ収納ボックスと燃料タンクが設けられ、二次エア制御バルブは車両右側に、二次エア濾過器は車両左側で収納ボックスと燃料タンクの間に設けられているため、収納ボックスと燃料タンクとの間において左右向きに、二次エア濾過器と二次エア制御バルブとを接続する配管が設けられている。
また、二次エア濾過器より上流側のエア吸入管は、収納ボックスと燃料タンクとの間を車両右側に延設された後、自動二輪車の右側メインフレームの上側に沿って車両後端まで延設され、後端でその吸入口が通気性のスポンジ製ダンパで覆われて、メインフレームに支持されている。
そのため、その配管等の配置によって、乗員シート高さの増加等が生じ、車両を大型化させることとなり、また、それを抑えれば、メインフレーム位置が下がり、パワーユニットの上下揺動量を制約する、という解決課題があった。
【０００６】
本発明は、かかる従来技術の課題を解消し、鞍乗り型車両において、二次エアによる排気浄化装置の性能を維持しつつ、排気浄化装置の配置に伴う車両の大型化を防止できる部品等の配置がなされた排気浄化装置を提供することを目的とする。
【課題を解決するための手段】
【０００７】
上記の課題を解決するために、請求項１に記載の発明は、内燃機関の排気通路に一端が接続された二次エア供給管と、同二次エア供給管の他端と接続し同二次エア供給管への二次エアの供給を制御する二次エア制御バルブと、同二次エア制御バルブへの外気導入通路とを備えた鞍乗り型車両の排気浄化装置において、前記排気浄化装置は、前記鞍乗り型車両における乗員用シート下方で、後輪上方を覆う上部リヤフェンダ部材の上面に分散して配置され、前記外気導入通路の中途部に、二次エア用のエア濾過器と共鳴通路とが設けられ、前記外気導入通路および共鳴通路はともに管状部材からなり、前記外気導入通路は平面視で左右の後部メインフレーム間にＵ字状に配置され、前記共鳴通路はＵ字状の前記外気導入通路の一辺に沿って配置されたことを特徴とする鞍乗り型車両の排気浄化装置である。
【０００８】
請求項２に記載の発明は、請求項１に記載の鞍乗り型車両の排気浄化装置において、前記共鳴通路は、前記エア濾過器より上流側の前記外気導入通路に設けられ、前記エア濾過器は前記上部リヤフェンダ部材に形成された保持用凹部に保持されて取り付けられ、前記外気導入通路と前記共鳴通路は前記上部リヤフェンダ部材に形成された保持用溝部に配置され、前記二次エア制御バルブは、前記上部リヤフェンダ部材に取り付けられたことを特徴とする。
【００１１】
請求項３に記載の発明は、請求項２に記載の鞍乗り型車両の排気浄化装置において、前記二次エア制御バルブの入口開口部の軸線は、車両前後方向の後向きに配向され、前記エア濾過器は、前記二次エア制御バルブの車両後方側から前記外気導入通路で接続されて配置されたことを特徴とする。
【００１２】
請求項４に記載の発明は、請求項３に記載の鞍乗り型車両の排気浄化装置において、前記二次エア制御バルブは、前記上部リヤフェンダの前部の一側に設けられ、前記エア濾過器は、前記上部リヤフェンダの後部に設けられるとともに、前記エア濾過器より上流側の前記外気導入通路は、前記上部リヤフェンダの前部の他側に延在させて設けられたことを特徴とする。
【発明の効果】
【００１３】
請求項１の発明の鞍乗り型車両の排気浄化装置によれば、共鳴通路により、二次エアの外気導入通路内の脈動を低減させ、流れを整流した構造としたので、吸気効率が高まり、脈動による外気導入開口縁からの出る騒音が低減するとともに、二次エア制御バルブとエア濾過器およびその上流側の外気導入通路の外気導入開口縁までの、配置自由度が増して、車両の隙間に、排気浄化装置の各部分を分散配置することが容易となる。
その結果、二次エアによる排気浄化装置の性能を維持しつつ、排気浄化装置の配置に伴う車両の大型化を防止できた排気浄化装置となる。
また、上部リヤフェンダ部材の上面に排気浄化装置を分散して配置させることで、上下の所要取り付け高さを狭くして、周囲からの異物の侵入も低減でき、更にシート高さも抑えることができる。
またそのことにより、後輪の上下揺動高確保による乗り心地向上を図ることが可能となる。
そして、外気導入通路および共鳴通路の平面的な配置によって、後輪の上下揺動量確保、取付け上下高さの抑制がなされ、車両の大型化が防止される。
【００１４】
請求項２の発明によれば、請求項１の発明の効果と相俟って、さらに外気導入通路の外気導入開口縁から出る騒音を低減することができ、上部リヤフェンダ部材上に、二次エア制御バルブとエア濾過器を予め小組みができて、排気浄化装置の組立て性が向上するほか、上部リヤフェンダに保持用凹部と保持用溝部が形成され、それらにエア濾過器と外気導入通路および共鳴通路とが保持されて配置されることで、排気浄化装置の、上下の所要取り付け高さをさらに狭くすることができる。
【００１７】
請求項３の発明によれば、請求項２の発明の効果に加え、二次エア制御バルブの入口開口部の負圧をエア濾過器まで有効に作用させることができ、二次エア供給性能を高められる。
【００１８】
請求項４の発明によれば、請求項３の発明の効果に加え、外気導入通路が上部リヤフェンダ部材上にＵ字状に分散配置され、乗員シートの高さを抑えながら，外気導入通路の内部抵抗を小さくして、二次エア供給性能をより高められる。
【図面の簡単な説明】
【００１９】
【図１】本発明の一実施形態に係る自動二輪車の、前輪側を図示省略し、ボディカバーを一部切り欠いた要部左側面図である。
【図２】図１中、概ねＩＩ−ＩＩ矢視による、ボディカバー類を省略して示す、本実施形態に係る自動二輪車の、要部平面図であり、上部リヤフェンダ部材およびスイング式パワーユニット上の本実施形態の排気浄化装置の配置を示す。
【図３】本発明の一実施形態に係る自動二輪車の、前輪側を図示省略し、車体フレームおよびボディカバーを除いた要部右側面図である。
【図４】本実施形態に係る二次エア制御バルブの断面説明図である。
【図５】図４Ｖ中、Ｖ−Ｖ矢視による、二次エア制御バルブ中のリードバルブ部の断面説明図である。
【発明を実施するための形態】
【００２０】
以下、本発明の一実施形態に係る自動二輪車やバギー車のような鞍乗り型車両の排気浄化装置を、図１から図５に基づき説明する。
【００２１】
なお、本明細書の説明および特許請求の範囲における前後左右上下等の向きは、本実施形態に係る排気浄化装置を、鞍乗り型車両に取り付けた状態での車両の向きに従うものとする。図中、矢印ＦＲは車両前方を、ＬＨは車両左方を、ＲＨは車両右方を、ＵＰは車両上方を、それぞれ示す。
また、図中、添記した黒小矢印は外気より吸入された二次エアの流れを、白抜き小矢印は負圧導入管による吸気管からの負圧の吸気方向を模式的に示す。
【００２２】
本発明の一実施形態に係る鞍乗り型車両として、図１にスクータ型の自動二輪車１の、前輪側を図示省略し、ボディカバーを一部切り欠いた要部左側面図を示す。
本実施形態の自動二輪車１は、内燃機関２と後輪への動力伝達装置３とが一体化されて、車体フレーム４に対して上下揺動自在に取り付けられたスイング式パワーユニット（以下、単に「パワーユニット」という）５を、乗員用シート10の下方に備えており、内燃機関２は、単気筒の４ストロークサイクル内燃機関である。パワーユニット５は、パワーユニットケース50のクランク軸20を自動二輪車１の車幅方向に配向させて、自動二輪車１に搭載される。
また、パワーユニット５には内燃機関２の吸気用のエアクリーナ６が支持されている。
【００２３】
図１に示すように、本実施形態の自動二輪車１では、図示省略されているが、車体フレーム４の前端部に位置するヘッドパイプに、前輪を軸支する左右一対のフロントフォークがステアリングステムを介して操舵可能に枢支される。また、ステアリングステムの上部には、操舵用のハンドルが取り付けられる。
【００２４】
車体フレーム４は、ヘッドパイプから斜め下がり後方へメインフレームが接続し、図１に示されるように、その下部において左右一対のメインフレーム40Ａ、40Ａに分岐してほぼ水平後方に延出して、ヘッドパイプと乗員用シート10との間を低部として跨ぎ易さを向上させた鞍部41を形成する。
鞍部41上には、ステップフロア11が図示しないフロントカバーの下部後方と接続して設けられている。
【００２５】
メインフレーム40Ａ、40Ａは、ステップフロア11の後方で屈曲部42をなして、左右一対の後部メインフレーム40Ｂ、40Ｂとして後方へ斜め上がりに延出した後、勾配を減じるように折れ曲がって後方に延出する。
後部メインフレーム40Ｂ、40Ｂ上には、前方から収納ボックス12、燃料タンク13等が支持され、その上部を覆うように乗員用シート10が支持されている。
左右対をなすメインフレーム40Ａ、40Ａ、後部メインフレーム40Ｂ、40Ｂはそれぞれ、車幅方向のフレームによって左右連結される。
【００２６】
なお、図１中の符号14は後部リヤフェンダ、15はメインスタンド、16はサイドスタンド、である。メインスタンド15、サイドスタンド16は、走行中等不使用状態を実線で、使用状態を二点鎖線で示されている。
車体フレーム４は、主に合成樹脂からなるボディカバー17により覆われている。
【００２７】
後輪７の後方を覆う後部リヤフェンダ14は、その上端において、後輪７上方を覆って車両前方に延出する上部リヤフェンダ70部材と接続している。
上部リヤフェンダ70部材は、勾配を減じるように折れ曲がって後端まで延出する左右の後部メインフレーム40Ｂ、40Ｂの下方に沿って、それらの間の上下を塞ぐ底板状に取り付けられており、後輪７から巻き上げられる水、塵埃等から、後部メインフレーム40Ｂ、40Ｂ間およびその上部に設けられる機器や、収納ボックス12、燃料タンク13等の装置を保護する（図２参照）。
【００２８】
パワーユニット５は、その前部の内燃機関２と後部左側の動力伝達装置３とを一体化し
てなり、そのパワーユニットケース50の前方下部にハンガー部51を備えている。
パワーユニット５はハンガー部51において、懸架リンク18を介して、メインフレーム40Ａ、40Ａから後部メインフレーム40Ｂ、40Ｂへの屈曲部42に取り付けられたピボットプレート43に、上下揺動可能に支持され、且つパワーユニット５の後部左側がリヤクッション19を介して後部メインフレーム40Ｂ、40Ｂに近接離反可能に支持される。
また、パワーユニットケース50の後部側に設けられた動力伝達装置３の後端部には、自動二輪車１の駆動輪である後輪７が、右側に隣接して軸支される。
【００２９】
パワーユニットケース50の前方側には、水平に近く前傾して、シリンダブロック、シリンダヘッド、シリンダヘッドカバーが順次積み重ねられるように締結された、内燃機関２のシリンダ部21が備えられている。
【００３０】
後輪７の左側方で、パワーユニット５の動力伝達装置３の上部、すなわちパワーユニットケース50の上部には、エアクリーナ６のエアクリーナケース60がその後端60ａを、車体フレーム４とパワーユニット５との間に取り付けられたリヤクッション19より後方に配置させて、支持されている。
【００３１】
内燃機関２のシリンダ部21のシリンダヘッド21ａ上部から延出した吸気管22は、後方に湾曲して気化器23とコネクティングチューブ24を介して、エアクリーナケース60の前部に接続されている（図２参照）。
また、シリンダ部21のシリンダヘッド21ａの排気ポート25（図３参照）からは、下方に向けて排気管26が延出し、排気管26は右側へ迂回して車体右側に配設されたサイレンサ27に接続している。
【００３２】
図２に示されるように、本実施形態において排気浄化装置８は、排気系に二次エアを供給して排気ガス中に含まれるＨＣやＣＯ等の未燃焼成分を燃焼させるため、内燃機関２の排気通路をなす排気ポート25（図３参照）内に下流端が接続された二次エア供給管80と、二次エア供給管80の上流端と接続し二次エア供給管80への二次エアの供給を制御する二次エア制御バルブ90と、二次エア制御バルブ90に下流端が接続され二次エア制御バルブ90へ二次エアを導入する外気導入通路82とを備えている。
また、外気導入通路82の上流端は、外気導入開口82ａとして開口しており、外気導入通路82の中途部に、二次エア用のエア濾過器83が介装されている。
外気導入通路82は、エア濾過器83より下流の下流側外気導入通路82Ｂと、エア濾過器83より上流の上流側外気導入通路82Ａからなり、上流側外気導入通路82Ａに共鳴通路84が設けられている。
【００３３】
排気浄化装置８は、自動二輪車1の乗員用シート10下方で、後輪７上方を覆う上部リヤフェンダ部材70の上面に分散して配置されている。
二次エア制御バルブ90は、その入口開口部91の軸線Ｘを車両前後方向の後向きに配向して、入口開口部91を車両後方に向けて、上部リヤフェンダ部材70の前部の上面の右側に締結されて取り付けられている。
【００３４】
入口開口部91に接続した下流側外気導入通路82Ｂは、右側の後部メインフレーム40Ｂの略内側に沿って後方に延設されるともに、上部リヤフェンダ部材70の後部で車両中心方向（左方向）に向けて滑らかに折れ曲がって、車両右方向に配向したエア濾過器83の出口部83ｂに接続する。
そのため、二次エア制御バルブ90の入口開口部91の負圧を、エア濾過器83まで有効に作用させることができる。
【００３５】
エア濾過器83の入口部83ａは車両左方向に配向し、上流側外気導入通路82Ａが接続する。上流側外気導入通路82Ａは滑らかに車両前方へ向けて折れ曲がって、左側の後部メインフレーム40Ｂ寄りに、左右の後部メインフレーム40Ｂ、40Ｂの間を前方に延設された後、外気導入開口82ａとして開口する。
【００３６】
上流側外気導入通路82Ａの折れ曲がり部82ｂよりやや上流側（前方）においては、車両左右方向に配向し、右端が閉じた管状の共鳴通路84の左端が分岐接続している。そのため、共鳴通路84によって、外気導入通路82内の脈動が低減し、吸気の流れが整流され、吸気効率を高めることができるとともに、脈動による外気導入開口82ａの開口縁から出る騒音を低減することができる。
【００３７】
また、エア濾過器83は、上部リヤフェンダ部材70後部に形成された保持用凹部71に保持された上を図示しないカバー部材が覆うように締結されて取り付けられ、外気導入通路82や共鳴通路84もまた上部リヤフェンダ部材70に形成された保持用溝部72に配置された上で、リブ73で止められている。二次エア制御バルブ90は、上部リヤフェンダ部材70の比較的低い位置にある前部において締結取り付けされている。
【００３８】
したがって、外気導入通路82は上部リヤフェンダ部材70上に滑らかにＵ字状に分散配置され、外気導入通路82の内部抵抗を小さくでき、二次エア供給性能を高められる。
また、排気浄化装置８の各構成機器が、左右の後部メインフレーム40Ｂ、40Ｂの間に囲まれて、上部リヤフェンダ部材70上に、取り付け上下高さを抑えて平たく分散配置され、それらを外気導入通路82が接続しているので、左右の後部メインフレーム40Ｂ、40Ｂの上に取り付けられる収納ボックス12、燃料タンク13等の取り付け高さを増大させない。
そのため、それらを覆って取り付けられる乗員用シート10の高さも低く保つことができ、後輪７の上下揺動高確保による乗り心地向上を図ることが可能となる。
また、排気浄化装置８の各構成機器が、左右の後部メインフレーム40Ｂ、40Ｂによって保護される。
【００３９】
また、二次エア制御バルブ90とエア濾過器83は、上部リヤフェンダ部材70に取り付けられるので、排気浄化装置８を自動二輪車1に組み付けるに際して、予め小組みをしておけるので、組立て性も向上する。
【００４０】
二次エア制御バルブ90には、前方に配向して出口開口部92が設けられ、制御された二次エアを内燃機関２の排気系に供給する。
出口開口部92には、二次エア供給管80の上流端が接続し、下流端は、排気通路となるシリンダヘッド21ａの吸気ポート25内に開口するように接続している。
二次エア供給管80は、二次エア制御バルブ90に接続する側の上流側二次エア供給管80Ａと、排気ポート25と接続する側の下流側二次エア供給管80Ｂからなり、接続部81で互いに接続連通される。
【００４１】
本実施形態において下流側二次エア供給管80Ｂは、排気ポート25に設けられた図示しない接続孔を介して排気ポート25内に接続連通するように固定される。
なお、下流側二次エア供給管80Ｂが接続する本発明における「排気通路」としては、それに限らず、排気ポート25に接続した排気管26を排気通路として、下流側二次エア供給管80Ｂが排気管26に接続連通するように固定されもよい。
【００４２】
下流側二次エア供給管80Ｂは、シリンダヘッド21ａないしその至近距離の部材に接続し、その近傍に配管されるものであるので、その高温に耐えられる適宜な金属管を用いる。
一方、二次エア制御バルブ90は、車体フレーム４に固定された上部リヤフェンダ70部材上に固定され、シリンダヘッド21ａは、パワーユニット５の一部として車体フレーム４に対して揺動するため、その揺動を吸収しつつ二次エア制御バルブ90と下流側二次エア供給管80Ｂを連結するために、上流側二次エア供給管80Ａはゴム材等の適切な可撓性材料による管を用いる。
【００４３】
また、二次エア制御バルブ90には、出口開口部92と並んで前方に配向して負圧導入部93が設けられ、負圧導入管94の一端が接続する。
負圧導入管94の他端は、気化器23の吸気下流側となる吸気管22と接続して、その内部と連通している。
【００４４】
図４、図５に示されるように、二次エア制御バルブ90は、本体ケース95を備え、本体ケース95に、二次エアの入口開口部91と出口開口部92が形成されている。入口開口部91と出口開口部92は、本体ケース95内の二次エア室96に開口されている。また、入口開口部91には、外気導入通路82が接続されるとともに、出口開口部92には、二次エア供給管80が接続される。
【００４５】
本体ケース95の二次エア室96には、出口開口部92近くにリード弁97が設けられている。リード弁97は、排気系内に発生する排気脈動圧に応じて開閉されるもので、出口開口部92に二次エア供給管80を介して排気ポート25内の負圧が作用すると、リード弁97が開かれ、入口開口部91と出口開口部92とが連通される。
【００４６】
また、本体ケース95には、内燃機関２の運転状況に応じた適切な二次エアを得るためのカット弁100と、カット弁100を駆動するためのアクチュエータ101が組み込まれている。
カット弁100は、入口開口部91とリード弁97の間で二次エア室97内を仕切る仕切り壁98に設けられた開口部分102に接離する弁体103と、弁体103を支持する弁軸104を備えている。
【００４７】
アクチュエータ101は、本体ケース95に被せられたカバー105を備えており、このカバー105の内側にはダイアフラム106が収容されている。ダイアフラム106は、カバー105の内部を負圧室107と、二次エア室96と連通孔96ａにより連通した二次エア圧室108とに区画している。負圧室107は、負圧導入管94を介して吸気管22に連なっており、負圧室107には、内燃機関２の運転中、吸気管22内の吸気負圧が導入されるようになっている。
【００４８】
カット弁100の弁軸104は、本体ケース95を摺動可能に貫通してダイアフラム106に連結されている。ダイアフラム106は、スプリング109によって二次エア圧室108側に押圧されており、そのため、弁体103が仕切り壁98の開口部分102から離脱され、カット弁100が常時開状態に維持されている。
【００４９】
上記のように、カット弁100が開いた状態で、内燃機関２の運転中、排気通路としての排気ポート25には排気脈動が生じるので、排気ポート25内の負圧が二次エア供給管80を介して二次エア制御バルブ90のリード弁97に伝わると、リード弁97が開かれ、外気導入通路82の外気導入開口82ａから外気が二次エアとして吸入される。
【００５０】
吸入された二次エアは、上流側外気導入通路82Ａを通じてエア濾過器83に導かれ、塵埃等が濾過される。エア濾過器83で濾過された清浄な二次エアは、下流側外気導入通路82Ｂを通り、二次エア制御バルブ90のリード弁97を通過し、二次エア供給管80を介して排気ポート25内に噴射され、排気ポート25を流れる排気ガスと混合される。そのため、排気ガス中の未燃焼成分が排気ポート25や排気管26のような排気系内で燃焼され、排気ガスの浄化が行われる。
【００５１】
一方、気化器23の図示しないスロットル弁を急激に閉じた時のような減速運転時には、気化器23のベンチュリー通路が絞られて吸気の流速が早くなり、燃料の吸い出し量が多くなる。その結果、混合気が一時的に過濃な状態となって、内燃機関２の図示しない燃焼室内で失火が生じることがあり、排気ポート25内に多量の未燃混合気が排出されてしまう。この時、排気ポート25内に二次エアが噴射されると、未燃混合気が二次空気との混合により適性な空燃比となって爆発的に燃焼する、いわゆるアフターバーンが発生する恐れがある。
【００５２】
しかし、本実施形態の二次エア制御バルブ90は、その負圧室107と吸気管22とが負圧導入管94を介して連通されているので、減速運転時に吸気管22内の負圧が高くなると、ダイアフラム106がスプリング109の付勢力に抗して負圧室107に向けて変形する。すると、カット弁100の弁体103が、二次エア圧室108内の仕切り壁98の開口部分102に押圧され、開口部分102を閉塞する。その結果、減速運転時には、排気ポート25への二次エアの供給が停止され、アフターバーンの発生が防止される。
【００５３】
以下、本実施形態の鞍乗り型車両の排気浄化装置の特徴について述べる。
すなわち、本実施形態の鞍乗り型車両の排気浄化装置は、内燃機関２の排気通路としての排気ポート25に下流端が接続された二次エア供給管80と、二次エア供給管80の上流端と接続し二次エア供給管80への二次エアの供給を制御する二次エア制御バルブ90と、二次エア制御バルブ90への外気導入通路82とを備えた自動二輪車１の排気浄化装置８において、排気浄化装置８は、自動二輪車１における乗員用シート10下方で、後輪７上方を覆う上部リヤフェンダ部材70の上面に分散して配置され、外気導入通路82の中途部に、二次エア用のエア濾過器83と共鳴通路84とが設けられ、外気導入通路82および共鳴通路84はともに管状部材からなり、外気導入通路82は平面視で左右の後部メインフレーム40Ｂ、40Ｂ間にＵ字状に配置され、共鳴通路84はＵ字状の前記外気導入通路82の一辺に沿って配置されている。
【００５４】
したがって、共鳴通路84により、二次エアの外気導入通路82内の脈動を低減させ、流れを整流した構造としたので、吸気効率が高まり、脈動による外気導入開口82ａの開口縁から出る騒音が低減するとともに、二次エア制御バルブ90とエア濾過器83およびその上流側の外気導入通路80（82Ａ）の外気導入開口82ａの開口縁までの、配置自由度が増して、自動二輪車１の隙間に、排気浄化装置８の各部分を分散配置することが容易となる。
その結果、二次エアによる排気浄化装置８の性能を維持しつつ、排気浄化装置８の配置に伴う自動二輪車１の大型化を防止できる排気浄化装置８となる。
また、上部リヤフェンダ部材70の上面に排気浄化装置８を分散して配置させることで、上下の所要取り付け高さを狭くして、周囲からの異物の侵入も低減でき、更にシート高さも抑えることができる。
またそのことにより、後輪７の上下揺動高確保による乗り心地向上を図ることが可能となる。
そして、外気導入通路82および共鳴通路84の平面的な配置によって、後輪７の上下揺動量確保、取付け上下高さの抑制がなされ、車両の大型化が防止される。
【００５５】
また、共鳴通路84は、エア濾過器83より上流側の外気導入通路82（82Ａ）に設けられ、
エア濾過器83は上部リヤフェンダ部材70に形成された保持用凹部71に保持されて取り付けられ、外気導入通路82と共鳴通路84は上部リヤフェンダ部材70に形成された保持用溝部72に配置され、二次エア制御バルブ90は、上部リヤフェンダ部材70に取り付けられている。
そのため、さらに外気導入通路82の外気導入開口82ａの開口縁から出る騒音を低減することができ、上部リヤフェンダ部材70上に、二次エア制御バルブ90とエア濾過器83と共鳴通路84を予め小組みができて、排気浄化装置８の組立て性が向上するほか、上部リヤフェンダ70に保持用凹部71と保持用溝部72が形成され、それらにエア濾過器83と外気導入通路82および共鳴通路84とが保持されて配置されることで、排気浄化装置８の、上下の所要取り付け高さをさらに狭くすることができる。
【００５８】
また、二次エア制御バルブ90の入口開口部91の軸線Ｘは、車両前後方向の後向きに配向され、エア濾過器83は、二次エア制御バルブ90の車両後方側から外気導入通路82で接続されて配置されているので、二次エア制御バルブ90の入口開口部91の負圧をエア濾過器83まで有効に作用させることができ、二次エア供給性能が高められる。
【００５９】
また、二次エア制御バルブ90は、上部リヤフェンダ部材70の前部の右側に設けられ、エア濾過器83は、上部リヤフェンダ70の後部に設けられるとともに、エア濾過器83より上流側の外気導入通路82（82Ａ）は、上部リヤフェンダ部材70の前部の左側に延在させて設けられているので、外気導入通路82が上部リヤフェンダ部材70上にＵ字状に分散配置され、乗員シート10の高さを抑えながら，外気導入通路82の内部抵抗を小さくして、二次エア供給性能がより高められる。
【００６０】
以上、本発明の一実施形態につき説明したが、本発明の態様が上記実施形態に限定されず、本発明の要旨の範囲で、多様な態様で実施されるものを含むことは勿論である。
【符号の説明】
【００６１】
１…自動二輪車、２…内燃機関、３…動力伝達装置、４…車体フレーム、５…パワーユニット（スイング式パワーユニット）、６…エアクリーナ、７…後輪、８…排気浄化装置、10…乗員用シート、12…収納ボックス、13…燃料タンク、17…ボディカバー、19…リヤクッション、20…クランク軸、21…シリンダ部、21ａ…シリンダヘッド、22…吸気管、23…気化器、24…コネクティングチューブ、25…排気ポート（排気通路）、26…排気管、40Ｂ…後部メインフレーム、50…パワーユニットケース、60…エアクリーナケース、70…上部リヤフェンダ部材、71…保持用凹部、72…保持用溝部、80…二次エア供給管、80Ａ…上流側二次エア供給管、80Ｂ…下流側二次エア供給管、82…外気導入通路、82ａ…外気導入開口、82Ａ…上流側外気導入通路、82Ｂ…下流側外気導入通路、83…エア濾過器、84…共鳴通路、90…二次エア制御バルブ、91…入口開口部、92…出口開口部、93…負圧導入部、94…負圧導入管、97…リード弁、100…カット弁、101…アクチュエータ、106…ダイアフラム
【図１】
0005778947.tif 000002
【図２】
0005778947.tif 000003
【図３】
0005778947.tif 000004
【図４】
0005778947.tif 000005
【図５】
0005778947.tif 000006